【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
選択されたタイプのアコースティック楽器の音の高忠実度再生用システムを提供するための方法であって、
（１）空気圧センサ、振動センサ、磁気センサ、光センサ及び熱センサのうちの少なくとも１つを有する第１のマイクロフォンを、アコースティック楽器に近接する選択された場所に設置するステップと、
（２）第１のマイクロフォンがピックアップした通りの音を生成するように楽器を別々に演奏するステップと、
（３）楽器の基準音を演奏するステップと、
（４）楽器から直接の基準音と第１のマイクロフォンがピックアップした通りの楽器の音を比較するステップと、
（５）マイクロフォンがピックアップした通りの音と楽器から直接くる基準音の間の差異を補償するよう第１のマイクロフォンのためのカスタムメイドのイコライザを設計するステップと、
を有する方法。
【請求項２】
選択されたタイプのアコースティック楽器の音の高忠実度再生用システムを提供するための方法であって、
（１）アコースティック楽器に近接する選択された場所に第１のマイクロフォンを設置するステップと、
（２）アコースティック楽器から離隔した聴取場所に第２の基準マイクロフォンを位置づけするステップであって、前記第１および第２のマイクロフォンは、空気圧センサ、振動センサ、磁気センサ、光センサ及び熱センサのうちの少なくとも１つを含むステップと、
（３）第１のマイクロフォンによりピックアップされた通りの音を生成し、第２の基準マイクロフォンによりピックアップされた通りの楽器の基準音を生成するべく、楽器を演奏するステップと、
（４）それぞれの第１及び第２のマイクロフォンによってピックアップされた通りの楽器の音の第１及び２の同時録音を行なうステップと、
（５）録音間の音響差を決定するべく第１及び第２の録音を比較するステップと、
（６）第１の録音と第２の録音の差を補償するよう第１のマイクロフォンのためのカスタムメイドのイコライザを設計するステップと、
を有する方法。
【請求項３】
アコースティック楽器の音の高忠実度再生用システムを提供するための方法であって、
（１）前記アコースティック楽器のうちの第１のものに近接した選択された場所に第１のマイクロフォンを設置するステップと、
（２）前記アコースティック楽器のうちの第１のものからの選択された場所に第２のマイクロフォンを設置するステップであって、前記第１及び第２のマイクロフォンが、空気圧センサ、振動センサ、磁気センサ、光センサ及び熱センサのうちの少なくとも１つを有するステップと、
（３）前記第１及び第２のマイクロフォンが直接ピックアップした通りの音を再生するべく前記アコースティック楽器のうちの前記第１のものを演奏するステップと、
（４）前記第１及び第２のマイクロフォンからのプロセッサ信号と比較するステップと、
（５）前記第２のマイクロフォンからの信号と前記第１のマイクロフォンからの信号を整合させるべく前記プロセッサで第１のデジタルフィルタアルゴリズムを新規作成するステップと、
を有する方法。
【請求項４】
前記比較ステップが、コンピュータにより自動的に実施される、請求項１〜３のいずれか１項に記載の方法。
【請求項５】
前記楽器の内部キャビティへの少なくとも１つの開口部が少なくとも部分的に被覆されている、請求項１〜３のいずれか１項に記載の方法。
【請求項６】
前記楽器の内部キャビティの少なくとも一部分が、楽器からの結果としてもたらされる音に影響を及ぼすように材料で充てんされているか又は少なくとも部分的に被覆されているかの少なくとも１つの状態にある、請求項１〜３のいずれか１項に記載の方法。
【請求項７】
前記カスタムメイドのイコライザで最適化されるべく前記楽器を設計すること及び構築することのうちのいずれか１つのステップをさらに有する、請求項１〜３のいずれか１項に記載の方法。
【請求項８】
前記設置ステップにおいて、前記第１のマイクロフォンがアコースティック楽器に取付けられている、請求項１に記載の方法。
【請求項９】
第１のマイクロフォンがピックアップした音と楽器の基準音を比較するステップが、２つの音を直接聴取することによって行なわれる、請求項１又は８に記載の方法。
【請求項１０】
ステップ（５）で設計されたイコライザの複数のセクションについて調整範囲を決定するべく同じタイプの異なる楽器を使用してステップ（１）〜（４）を反復するステップをさらに有する、請求項１に記載の方法。
【請求項１１】
前記設置ステップにおいて、前記第１のマイクロフォンがアコースティック楽器に取付けられている、請求項２に記載の方法。
【請求項１２】
ステップ（２）における聴取場所が、その部位に位置づけされた時点で楽器の最適な音質を基準マイクロフォンがピックアップできるようにするのに充分な距離だけ楽器から離隔されている、請求項２又は１１に記載の方法。
【請求項１３】
ステップ（６）で設計されたイコライザの複数のセクションについて調整範囲を決定するべく同じタイプの異なる楽器を用いてステップ（１）〜（５）を反復するステップをさらに有する、請求項２に記載の方法。
【請求項１４】
第１及び第２の録音を同時に行なう第４のステップが好ましくは、マルチトラック録音媒体の別々のトラック上で録音を行なうステップを有する、請求項２に記載の方法。
【請求項１５】
第１及び第２の録音を比較する第５のステップが、第１及び第２の録音の音波波形を表示し分析するステップ、もう一方の波形に実質的に適合するように第１及び第２の波形のうちの一方を等化するステップ、及びステップ（６）で第１のマイクロフォンのためのカスタムメイドのイコライザを設計するように等化値を使用するステップ、のうちの少なくとも１つを有する、請求項２に記載の方法。
【請求項１６】
（６）ステップ（３）における異なる音でステップ（１）〜（５）を反復するステップをさらに有する、請求項３に記載の方法。
【請求項１７】
（６）前記第１のマイクロフォンからの信号に対し前記デジタルファイルアルゴリズムを適用するステップをさらに有する、請求項３に記載の方法。
【請求項１８】
（６）第２のデジタルファイルアルゴリズムを新規作成するべく前記アコースティック楽器のうちの第２のものについてステップ（１）〜（５）を反復するステップと、
（７）第１及び第２のデジタルファイルアルゴリズムの結果を平均し、新しいデジタルアルゴリズムを新規作成するステップと、
をさらに有する、請求項３に記載の方法。
【請求項１９】
（８）前記アコースティック楽器のうちの第３のものに近接して設置された第３のマイクロフォンに対して平均化したデジタルファイルアルゴリズムを適用するステップをさらに有する、請求項１８に記載の方法。
【請求項２０】
アコースティック楽器の音の高忠実度電子再生用システムであって、
予め選択されたタイプのアコースティック楽器に近接して設置されるように適合され、空気圧センサ、振動センサ、磁気センサ、光センサ及び熱センサのうちの少なくとも１つを有するマイクロフォン要素と、
マイクロフォンに結合された入力端を有するイコライザであって、該イコライザは、予め定められた最小数の電子フィルタ回路及び制御機構からなる特定の配置を有し、さらに予め選択されたタイプのアコースティック楽器の音のマイクロフォン要素による電子的再生における差異であって、前記タイプの楽器の対応する基準音と比較された差異を補償するために必要とされる最適化された制御範囲を有するイコライザと、
を備えるシステム。
【請求項２１】
アコースティック楽器の音の高忠実度電子再生用システムであって、
前記アコースティック楽器のうちの少なくとも１つのものに近接して設置された第１のマイクロフォンと、
前記アコースティック楽器のうちの前記第１のものからの選択された場所に設置され、前記第１及び第２のマイクロフォンが空気圧センサ、振動センサ、磁気センサ、光センサ及び熱センサのうちの少なくとも１つを有する第２のマイクロフォンと、
前記第１及び第２のマイクロフォンに結合され、それからの信号と比較するように適合されかつ前記第１及び第２のマイクロフォンからの信号を整合させるべくデジタルファイルアルゴリズムを新規作成するように適合されたプロセッサと、
を備えるシステム。
【請求項２２】
該楽器の内部キャビティへの少なくとも１つの開口部が少なくとも部分的に被覆されている、請求項２０又は２１に記載のシステム。
【請求項２３】
該楽器の内部キャビティの少なくとも一部分が、該楽器からの結果としてもたらされる音に影響を及ぼすように材料で充てんされているか又は少なくとも部分的に被覆されているかの少なくとも１つの状態にある、請求項２０又は２１に記載のシステム。
【請求項２４】
前記楽器の設計及び構築のうちの少なくとも１つがイコライザとの使用のため少なくとも部分的に最適化されている、請求項２０又は２１に記載のシステム。
【請求項２５】
マイクロフォン要素がさらに、楽器上の予め選択された場所に取付けられるように適合されている、請求項２０に記載のシステム。
【請求項２６】
前記イコライザが少なくとも１つのデジタルフィルタを備える、請求項２０に記載のシステム。
【請求項２７】
前記第１のマイクロフォンに結合され、前記第１のマイクロフォンからの信号に対し前記デジタルファイルアルゴリズムを適用するように適合されたデジタル信号プロセッサをさらに備える、請求項２１に記載のシステム。
【請求項２８】
前記プロセッサが、前記アコースティック楽器のうち第１及び第２のもののための平均デジタルファイルアルゴリズムにさらに適合されている、請求項２７に記載のシステム。
【請求項２９】
第３のタイプの前記アコースティック楽器に近接して設置された第３のマイクロフォンと、
前記第３のマイクロフォンに結合され、前記デジタルフィルタアルゴリズムの結果を新しいデジタルアルゴリズムへと平均化し、前記第３のマイクロフォンからの信号に対して前記平均化されたデジタルファイルアルゴリズムを適用するように適合されたデジタル信号プロセッサと、
をさらに有する、請求項２７に記載のシステム。
【請求項３０】
入力信号を受信するように適合されたローパスフィルタと、
前記ローパスフィルタに対し並列に結合され前記入力信号を受信するように適合されたハイパスフィルタであって、前記ローパスフィルタの周波数極及び該ハイパスフィルタの周波数極は互いに独立して制御されるハイパスフィルタと、
前記ローパスフィルタ及び前記ハイパスフィルタから出力信号を受信するように適合されている合計デバイスと、
を備えるイコライザシステム。
【請求項３１】
前記ローパスフィルタ及び前記ハイパスフィルタが前記フィルタの利得を修正することによって付加的に別々に制御される、請求項３０に記載のシステム。